(57)【要約】 【課題】  動作の円滑化及び部品点数の削減による機構の簡素化を図る。【解決手段】  遠距離を照射する遠距離照射位置と近距離を照射する近距離照射位置との間で回動され光源１１から出射された光の一部を遮蔽する第１のシェード２１と、光源から出射された光の遮蔽状態が異なる第１の遮蔽位置と第２の遮蔽位置の間で回動される第２のシェード２２と、第１のシェードを遠距離照射位置と近距離照射位置の間で回動させるソレノイド３４と、第２のシェードを第１の遮蔽位置と第２の遮蔽位置の間で回動させる操作レバー４４と、第１のシェードと第２のシェードをともに回動自在に支持する支持軸２０とを設けた。【選択図】        図２
2010218728.tif 000002
【特許請求の範囲】
【請求項１】
光を前方へ向けて投影する投影レンズと該投影レンズの後方に配置された光源と該光源から出射された光を前記投影レンズ側へ向けて反射するリフレクターとを備えた車輌用前照灯であって、
遠距離を照射する遠距離照射位置と近距離を照射する近距離照射位置との間で回動され前記光源から出射された光の一部を遮蔽する第１のシェードと、
前記光源から出射された光の遮蔽状態が異なる第１の遮蔽位置と第２の遮蔽位置の間で回動される第２のシェードと、
前記第１のシェードを前記遠距離照射位置と前記近距離照射位置の間で回動させる第１の駆動手段と、
前記第２のシェードを前記第１の遮蔽位置と前記第２の遮蔽位置の間で回動させる第２の駆動手段と、
前記第１のシェードと前記第２のシェードをともに回動自在に支持する支持軸とを備えた
ことを特徴とする車輌用前照灯。
【請求項２】
前記第１のシェードを回動方向において前記遠距離照射位置側から前記近距離照射位置側へ付勢する第１の付勢手段と、
前記第２のシェードを回動方向において前記第１のシェードの付勢方向と同じ方向へ付勢する第２の付勢手段とを設け、
前記第２のシェードを前記第２の付勢手段の付勢力によって前記第１のシェードに接触可能とした
ことを特徴とする請求項１に記載の車輌用前照灯。
【請求項３】
前記第２のシェードに被作用突部を設け、
前記第２の駆動手段に前記第２のシェードの付勢方向と反対方向から被作用突部を押圧して操作する操作用突部を設けた
ことを特徴とする請求項２に記載の車輌用前照灯。
【請求項４】
前記第１のシェードに、前記支持軸の外周面に対向し前記支持軸の軸方向に延びる遮蔽面部と、該遮蔽面部の前記軸方向における両端部から直交する同じ方向へ突出されそれぞれ支持軸に支持された一対の被支持面部とを設け、
前記第１の付勢手段と前記第２の付勢手段としてそれぞれ用いられ前記一対の被支持面部間において前記支持軸に支持された第１の捩じりコイルバネと第２の捩じりコイルバネを設けた
ことを特徴とする請求項２又は請求項３に記載の車輌用前照灯。
【請求項５】
前記第１のシェードに、前記支持軸の外周面に対向し前記支持軸の軸方向に延びる遮蔽面部を設け、
前記第２のシェードに、前記支持軸の外周面に対向し前記支持軸の軸方向に延びる遮光面部を設け、
前記第２の遮蔽位置に前記第２のシェードが存在する状態において前記第１のシェードが前記近距離照射位置から前記遠距離照射位置まで回動されたときに、前記第１のシェードの遮蔽面部と前記第２のシェードの遮光面部とを一定の隙間を有した状態で対向して位置させるようにした
ことを特徴とする請求項１、請求項２、請求項３又は請求項４に記載の車輌用前照灯。
【発明の詳細な説明】
【技術分野】
【０００１】
本発明は車輌用前照灯に関する。詳しくは、第１のシェードと第２のシェードをともに同一の支持軸に回動自在に支持させて動作の円滑化及び部品点数の削減による機構の簡素化を図る技術分野に関する。
【背景技術】
【０００２】
車輌用前照灯には、例えば、カバーとランプボデイによって構成された灯具外筐の内部に、光源を有するランプユニットが配置されたものがある。
【０００３】
このようなランプユニットには、例えば、光源から出射された光を前方へ向けて投影する投影レンズと、光源から出射された光を投影レンズ側へ反射するリフレクターと、投影レンズと光源の間に配置された配光パターン切替機構とが設けられたものがある（例えば、特許文献１参照）。
【０００４】
特許文献１に記載された車輌用前照灯にあっては、配光パターン切替機構に回動可能な第１のシェードと第２のシェードの二つのシェードが設けられ、第１のシェードが第１の支持軸に回動自在に支持され、第２のシェードが第１のシェードに設けられた第２の支持軸に回動自在に支持されている。
【０００５】
第１のシェードは、例えば、遠距離を照射する所謂ハイビームの配光パターンと近距離を照射する所謂ロービームの配光パターンとを切り替える機能を有し、第２のシェードは、例えば、左側通行用の配光パターンを右側通行用に適した配光パターンに切り替える機能を有している。
【０００６】
【特許文献１】特開２００８−２７７６８号公報
【発明の開示】
【発明が解決しようとする課題】
【０００７】
ところが、特許文献１に記載された車輌用前照灯にあっては、第１のシェードに設けられた第２の支持軸に第２のシェードが支持されているため、第１のシェードと第２のシェードを回動させるときに、常に、両者の荷重がこれらを駆動するアクチュエーター等の駆動手段の駆動力に対する負荷として付与されてしまう。
【０００８】
従って、第１のシェードと第２のシェードを回動させるときの駆動手段の駆動力に対して、常に、大きな負荷が付与され、動作の円滑化に支障を来たすおそれがあると言う問題がある。
【０００９】
また、第１のシェードに設けられた第２の支持軸に第２のシェードが支持された構成とされているため、支持軸が２本必要であり、部品点数が多く、機構も複雑となってしまう。
【００１０】
そこで、本発明車輌用前照灯は、動作の円滑化及び部品点数の削減による機構の簡素化を図ることを課題とする。
【課題を解決するための手段】
【００１１】
車輌用前照灯は、上記した課題を解決するために、光を前方へ向けて投影する投影レンズと該投影レンズの後方に配置された光源と該光源から出射された光を前記投影レンズ側へ向けて反射するリフレクターとを備え、遠距離を照射する遠距離照射位置と近距離を照射する近距離照射位置との間で回動され前記光源から出射された光の一部を遮蔽する第１のシェードと、前記光源から出射された光の遮蔽状態が異なる第１の遮蔽位置と第２の遮蔽位置の間で回動される第２のシェードと、前記第１のシェードを前記遠距離照射位置と前記近距離照射位置の間で回動させる第１の駆動手段と、前記第２のシェードを前記第１の遮蔽位置と前記第２の遮蔽位置の間で回動させる第２の駆動手段と、前記第１のシェードと前記第２のシェードをともに回動自在に支持する支持軸とを設けたものである。
【００１２】
従って、車輌用前照灯にあっては、第１のシェードと第２のシェードが同一の支持軸に支持された状態で第１の駆動手段又は第２の駆動手段によって回動される。
【発明の効果】
【００１３】
本発明車輌用前照灯は、光を前方へ向けて投影する投影レンズと該投影レンズの後方に配置された光源と該光源から出射された光を前記投影レンズ側へ向けて反射するリフレクターとを備えた車輌用前照灯であって、遠距離を照射する遠距離照射位置と近距離を照射する近距離照射位置との間で回動され前記光源から出射された光の一部を遮蔽する第１のシェードと、前記光源から出射された光の遮蔽状態が異なる第１の遮蔽位置と第２の遮蔽位置の間で回動される第２のシェードと、前記第１のシェードを前記遠距離照射位置と前記近距離照射位置の間で回動させる第１の駆動手段と、前記第２のシェードを前記第１の遮蔽位置と前記第２の遮蔽位置の間で回動させる第２の駆動手段と、前記第１のシェードと前記第２のシェードをともに回動自在に支持する支持軸とを備えたことを特徴とする。
【００１４】
従って、第１のシェードと第２のシェードを各別に回動させることが可能であり、動作の円滑化を図ることができる。
【００１５】
また、第１のシェードと第２のシェードを支持する部品が支持軸の一つのみであるため、部品点数の削減を図ることができる。
【００１６】
請求項２に記載した発明にあっては、前記第１のシェードを回動方向において前記遠距離照射位置側から前記近距離照射位置側へ付勢する第１の付勢手段と、前記第２のシェードを回動方向において前記第１のシェードの付勢方向と同じ方向へ付勢する第２の付勢手段とを設け、前記第２のシェードを前記第２の付勢手段の付勢力によって前記第１のシェードに接触可能としている。
【００１７】
従って、第１のシェードと第２のシェードが一体となって回動可能とされ、第１のシェードと第２のシェードの所要の各位置への回動動作を容易に行うことができる。
【００１８】
請求項３に記載した発明にあっては、前記第２のシェードに被作用突部を設け、前記第２の駆動手段に前記第２のシェードの付勢方向と反対方向から被作用突部を押圧して操作する操作用突部を設けている。
【００１９】
従って、構造が簡単であり、機構の簡素化を図ることができる。
【００２０】
請求項４に記載した発明にあっては、前記第１のシェードに、前記支持軸の外周面に対向し前記支持軸の軸方向に延びる遮蔽面部と、該遮蔽面部の前記軸方向における両端部から直交する同じ方向へ突出されそれぞれ支持軸に支持された一対の被支持面部とを設け、前記第１の付勢手段と前記第２の付勢手段としてそれぞれ用いられ前記一対の被支持面部間において前記支持軸に支持された第１の捩じりコイルバネと第２の捩じりコイルバネを設けている。
【００２１】
従って、第１の捩じりコイルバネと第２の捩じりコイルバネが第１のシェードの被支持面部間において遮蔽面部に覆われる位置に配置されるため、配置スペースの有効活用による車輌用前照灯の小型化を図ることができる。
【００２２】
請求項５に記載した発明にあっては、前記第１のシェードに、前記支持軸の外周面に対向し前記支持軸の軸方向に延びる遮蔽面部を設け、前記第２のシェードに、前記支持軸の外周面に対向し前記支持軸の軸方向に延びる遮光面部を設け、前記第２の遮蔽位置に前記第２のシェードが存在する状態において前記第１のシェードが前記近距離照射位置から前記遠距離照射位置まで回動されたときに、前記第１のシェードの遮蔽面部と前記第２のシェードの遮光面部とを一定の隙間を有した状態で対向して位置させるようにしている。
【００２３】
従って、遮蔽面部と遮光面部の損傷や傷付きの発生を抑制することができる。
【発明を実施するための最良の形態】
【００２４】
以下に、本発明車輌用前照灯を実施するための最良の形態について添付図面を参照して説明する。
【００２５】
車輌用前照灯１は、車体の前端部における左右両端部に取り付けられて配置されている。
【００２６】
車輌用前照灯１は、図１に示すように、前方に開口された凹部を有するランプボデイ２と該ランプボデイ２の開口面を閉塞するカバー３とを備えている。ランプボデイ２とカバー３によって灯具外筐４が構成され、該灯具外筐４の内部空間は灯室５として形成されている。
【００２７】
ランプボデイ２の後端部には前後に貫通された取付孔２ａが形成されている。ランプボデイ２の後端部には取付孔２ａを閉塞するバックカバー６が取り付けられている。
【００２８】
灯室５にはランプユニット７が配置されている。ランプユニット７はレンズホルダー８と該レンズホルダー８の前端部に取り付けられた投影レンズ９とレンズホルダー８の後面に取り付けられたリフレクター１０と該リフレクター１０の後端部に取り付けられた光源１１とを有している。
【００２９】
ランプユニット７はランプボデイ２に図示しない光軸調整機構を介して支持されている。従って、光軸調整機構を動作させることによりランプユニット７をランプボデイ２に対して上下方向又は左右方向へ移動させて光源１１から出射される光の光軸調整（エイミング調整又はレベリング調整）を行うことが可能とされている。
【００３０】
ランプユニット７は図示しないスイブル調整機構によって灯具外筐４に対して水平方向へ回動可能とされている。
【００３１】
灯室５におけるランプユニット７の下方には図示しないアクチュエーターが配置されている。アクチュエーターには連結軸が設けられ、該連結軸がランプユニット７の下端部に連結されている。従って、アクチュエーターの駆動力によって連結軸を介してランプユニット７が灯具外筐４に対して水平方向へ回動される。
【００３２】
このようなランプユニット７の灯具外筐４に対する水平方向への回動は、運転者のステアリング操作に連動して行われる。
【００３３】
投影レンズ９は前方側の表面が凸面に形成され後方側の表面が後方を向く平面に形成されている。投影レンズ９は光源１１から光が出射されたときに形成される後側焦点を含む焦点面上の像を反転して前方へ投影する機能を有する。
【００３４】
リフレクター１０は後端部を除く内面が反射面１０ａとして形成され、該反射面１０ａは前端部を除き、例えば、略楕円球面に形成されている。反射面１０ａは、光源１１の後述する発光部に第１焦点が一致され投影レンズ９の後側焦点に第２焦点が一致されるように形成されている。リフレクター１０の後端部は略円筒状の取付部１０ｂとして設けられている。
【００３５】
光源１１は、例えば、放電バルブであり、外管１２の内部に設けられた発光部１３から光を出射する。外管１２は、その後方に配置された口金部１４に保持されており、該口金部１４がリフレクター１０の後端部に設けられた取付部１０ｂに取り付けられている。
【００３６】
ランプユニット７の下端部には、レンズホルダー８とリフレクター１０の間に配置用孔７ａが形成されている。
【００３７】
図示しない点灯回路の駆動により光源１１に駆動電圧が印加されると発光部１３から光が出射される。発光部１３から出射された光は前方へ向かうか又はリフレクター１０の反射面１０ａで反射され、投影レンズ９の後側焦点を含む焦点面上に集光され、投影レンズ９によって前方へ照明光として投影される。
【００３８】
ランプユニット７の内部には、投影レンズ９と光源１１の間に配光パターン切替機構１５が配置されている。配光パターン切替機構１５はベース板１６に所要の各部が配置又は支持されて成る（図２及び図３参照）。
【００３９】
ベース板１６は上下方向を向く水平面部１７と該水平面部１７の前縁から上方へ突出され前後方向を向く垂直面部１８とを有している。
【００４０】
水平面部１７にはＬ字状の切欠１７ａが形成されている。
【００４１】
垂直面部１８には上下に連続して光透過孔１８ａと配置孔１８ｂが形成されている。垂直面部１８の外周部には周方向に離隔して被取付部１８ｃ、１８ｃ、・・・が設けられている。垂直面部１８における光透過孔１８ａの開口縁には左右に離隔してバネ支持部１８ｄ、１８ｄが設けられている。垂直部１８には、後面側に左右に離隔して軸支持部１８ｅ、１８ｅが設けられている。
【００４２】
光透過孔１８ａは光源１１から出射された光が投影レンズ９へ向かうときに透過される部分である。
【００４３】
ベース板１６は垂直面部１８の被取付部１８ｃ、１８ｃ、・・・がレンズホルダー８の後端部に取り付けられる。
【００４４】
垂直面部１８の前面には遮蔽部材１９が取り付けられている。遮蔽部材１９には前方へ行くに従って下方へ変位するように傾斜された傾斜面部１９ａが設けられている。遮蔽部材１９は光源１１から出射された光の光透過孔１８ａより下方側への不必要な侵入を防止する機能等を有している。
【００４５】
垂直面部１８の軸支持部１８ｅ、１８ｅには左右方向に延びる支持軸２０が支持されている。支持軸２０は垂直面部１８の後面側に位置されている。
【００４６】
支持軸２０には第１のシェード２１と第２のシェード２２がそれぞれ回動自在に支持されている。
【００４７】
第１のシェード２１は、例えば、遠距離を照射する所謂ハイビームの配光パターンと近距離を照射する所謂ロービームの配光パターンとを切り替える機能を有している。第２のシェード２２は、例えば、左側通行用の配光パターンを右側通行用に適した配光パターンに切り替える機能を有している。
【００４８】
第１のシェード２１は前方側の位置である近距離を照射する近距離照射位置と後方側の位置である遠距離を照射する遠距離照射位置との間で回動され、光源１１から出射された光の一部を遮蔽する。
【００４９】
第２のシェード２２は前方側の位置である第１の遮蔽位置と後方側の位置である第２の遮蔽位置との間で回動され、光源１１から出射された光の一部を遮蔽する。
【００５０】
第１のシェード２１は、左右に延びる遮蔽面部２３と、該遮蔽面部２３の左右両端部から直交する同じ方向へそれぞれ突出された被支持面部２４、２４と、該被支持面部２４、２４の先端縁からそれぞれ外方へ突出されたストッパー片２５、２５と、遮蔽面部２３の下縁から前方へ突出された被支持片２６とが一体に形成されて成る。遮蔽面部２３には左右に延びる押圧突条２３ａが形成され、該押圧突条２３ａは後方へ凸の打出状に形成されている。
【００５１】
第１のシェード２１は被支持面部２４、２４が支持軸２０に支持されている。
【００５２】
第２のシェード２２は、左右に延びる遮光面部２７と、該遮光面部２７の左右両端部から直交する同じ方向へそれぞれ突出された側面部２８、２８と、該側面部２８、２８の先端縁からそれぞれ外方へ突出された規制片２９、２９と、遮光面部２３の下縁から下方へ突出された被作用突部３０とが一体に形成されて成る。
【００５３】
第２のシェード２２は遮光面部２７が第１のシェード２１の遮蔽面部２３の後側に位置されている。第２のシェード２２は側面部２８、２８が支持軸２０に支持されている。側面部２８、２８はそれぞれ第１のシェード２１の被支持面部２４、２４の直ぐ外側に位置されている。
【００５４】
支持軸２０には第１の付勢手段として第１の捩じりコイルバネ３１が支持されている。第１の捩じりコイルバネ３１は左側に位置する被支持面部２４の直ぐ右側に位置されている。
【００５５】
第１の捩じりコイルバネ３１はコイル部３１ａと該コイル部３１ａの両端にそれぞれ連続して設けられた被支持部３１ｂ、３１ｃとから成る。第１の捩じりコイルバネ３１は、コイル部３１ａが支持軸２０に支持され、被支持部３１ｂがベース板１６の一方のバネ支持部１８ｄに支持され、被支持部３１ｃが第１のシェード２１の遮蔽面部２３に支持されている。
【００５６】
第１のシェード２１は第１の捩じりコイルバネ３１によって支持軸２０の一方の軸回り方向（図１に示すＰ１方向）、即ち、遠距離照射位置から近距離照射位置へ向かう方向へ付勢されている。第１のシェード２１は、第１の捩じりコイルバネ３１の付勢力によってストッパー片２５、２５がベース板１６における垂直面部１８の後面に押し付けられることにより、近距離照射位置に保持される。従って、第１のシェード２１の近距離照射位置から遠距離照射位置へ向けての回動は、第１の捩じりコイルバネ３１の付勢力に抗して行われる。
【００５７】
支持軸２０には第２の付勢手段として第２の捩じりコイルバネ３２が支持されている。第２の捩じりコイルバネ３２は右側に位置する被支持面部２４の直ぐ左側に位置されている。
【００５８】
第２の捩じりコイルバネ３２はコイル部３２ａと該コイル部３２ａの両端にそれぞれ連続して設けられた被支持部３２ｂ、３２ｃとから成る。第２の捩じりコイルバネ３２は、コイル部３２ａが支持軸２０に支持され、被支持部３２ｂがベース板１６の他方のバネ支持部１８ｄに支持され、被支持部３２ｃが第２のシェード２２の遮光面部２７に支持されている。
【００５９】
第２のシェード２２は第２の捩じりコイルバネ３２によって支持軸２０の一方の軸回り方向（図１に示すＰ１方向）、即ち、第２の遮蔽位置から第１の遮蔽位置へ向かう方向へ付勢されている。第２のシェード２２は、第２の捩じりコイルバネ３２の付勢力によって規制片２９、２９がそれぞれ第１のシェード２１のストッパー片２５、２５の後面に押し付けられることにより、第２の遮蔽位置に保持される。従って、第２のシェード２２の第１の遮蔽位置から第２の遮蔽位置へ向けての回動は、第２の捩じりコイルバネ３２の付勢力に抗して行われる。
【００６０】
第１のシェード２１の前面側には遮光部材３３が取り付けられている。遮光部材３３には前方へ行くに従って下方へ変位するように傾斜された傾斜面部３３ａが設けられている。遮光部材３３は光源１１から出射された光の光透過孔１８ａより下方側への不必要な侵入を防止する機能等を有している。遮光部材３３は第１のシェード２１と一体に回動され、第１のシェード２１が第１の遮蔽位置にあるときに傾斜面部３３ａが遮蔽部材１９の傾斜面部１９ａと同一平面状に位置される。
【００６１】
ベース板１６における水平面部１７には第１のシェード２１を回動させるための第１の駆動手段として用いられたソレノイド３４が配置されている。ソレノイド３４は電磁コイル３５と該電磁コイル３５への通電状態により前後方向へ移動されるプランジャー３６とを有している。
【００６２】
プランジャー３６の後端部は電磁コイル３５から後方へ突出され、プランジャー３６の後端部と第１のシェード２１の被支持片２６とが針金状の連結部材３７によって連結されている。従って、プランジャー３６が前後方向へ移動されると、連結部材３７が前後方向へ移動されて第１のシェード２１が支持軸２０を支点として回動される。
【００６３】
ソレノイド３４はケース体３８に保持され、該ケース体３８は一部が垂直部１８の配置孔１８ｂから前方へ突出された状態で水平面部１７の上面に取り付けられている。ケース体３８の後端部にはコネクターケース３９が取り付けられている。コネクターケース３９には電磁コイル３５に電力を供給するための図示しない電源コードが接続されるコネクター部３９ａが設けられている。
【００６４】
水平面部１７にケース体３８が取り付けられた状態において、コネクターケース３９は水平面部１７の切欠１７ａに対応して位置される。
【００６５】
ベース板１６における水平面部１７の上面には支持部材４０が取り付けられている。支持部材４０は上下方向を向く被取付面部４１と該被取付面部４１から上方へ突出された支持面部４２とから成る。支持部材４０は被取付面部４１が水平面部１７に取り付けられている。
【００６６】
支持面部４２の後端部には上下に離隔してそれぞれ左方へ突出された第１の規制突部４２ａと第２の規制突部４２ｂが設けられている。支持面部４２の前後方向における略中央部には、前後に離隔して左右に貫通された第１の保持孔４２ｃと第２の保持孔４２ｄが形成されている。
【００６７】
支持部材４０における支持面部４２の前端部には操作用突部４３が回動自在に支持されている。操作用突部４３は略上下方向に長く形成され、上端部が略前後方向へ移動するように回動される。操作用突部４３の下端部には回動支点より下方へ突出された連結突部４３ａが設けられている。
【００６８】
上記したように、第２のシェード２２は第２の捩じりコイルバネ３２によって第２の遮蔽位置から第１の遮蔽位置へ向かう方向へ付勢されており、この付勢力によって被作用突部３０の先端部が操作用突部４３の前縁に前方から押し付けられた状態とされる。
【００６９】
支持部材４０における支持面部４２の後端部には操作レバー４４が回動自在に支持されている。操作レバー４４は略前後方向に長く形成され、前端部が支持面部４２に支持されている。操作レバー４４の前端部には下方へ突出され回動支点より下方に位置する連結突部４４ａが設けられている。
【００７０】
操作レバー４４は支持面部４２に設けられた第１の規制突部４２ａと第２の規制突部４２ｂによって操作範囲が規制される。
【００７１】
操作用突部４３の連結突部４３ａと操作レバー４４の連結突部４４ａとは針金状のリンク部材４５によって連結されている。リンク部材４５の略中央部には右方へ突出された被保持突部４５ａが設けられている。操作レバー４４は少なくとも後端部がランプユニット７の配置用孔７ａを介してランプユニット７の後方へ突出されている（図１参照）。
【００７２】
操作レバー４４が回動操作されると、該操作レバー４４の回動動作に伴ってリンク部材４５が前後方向へ移動されて操作用突部４３が回動され、該操作用突部４３の回動動作に追従して被作用突部３０が動作されて第２のシェード２２が支持軸２０を支点として回動される。従って、操作用突部４３、操作レバー４４及びリンク部材４５は第２のシェード２２を回動させる第２の駆動手段として機能する。
【００７３】
操作レバー４４は、例えば、ランプボデイ２からバックカバー６を取り外して灯室５に指を挿入することにより操作可能とされている。
【００７４】
操作レバー４４が下方側の移動端まで操作されたときには、リンク部材４５の被保持突部４５ａが支持部材４０の支持面部４２に形成された第１の保持孔４２ｃに挿入されて保持される。また、操作レバー４４が上方側の移動端まで操作されたときには、被保持突部４５ａが第２の保持孔４２ｄに挿入されて保持される。
【００７５】
以上のように構成された車輌用前照灯１において、操作レバー４４が上方側の移動端まで操作されたときには、第２のシェード２２が第２の捩じりコイルバネ３２の付勢力に抗して回動されて第２の遮蔽位置に保持され、例えば、左側通行用の配光パターンの形成が可能な状態とされる（図４乃至図７参照）。
【００７６】
第２のシェード２２が第２の遮蔽位置に保持されている状態において、ソレノイド３４の電磁コイル３５に通電が行われていないときには、第１のシェード２１が第１の捩じりコイルバネ３１の付勢力によって近距離照射位置に保持され、ロービームの配光パターンの形成が可能な状態とされる（図４及び図５参照）。
【００７７】
一方、第２のシェード２２が第２の遮蔽位置に保持されている状態において、ソレノイド３４の電磁コイル３５に通電が行われると、プランジャー３６が前方へ移動され第１のシェード２１が第１の捩じりコイルバネ３１の付勢力に抗して回動されて遠距離照射位置に保持され、ハイビームの配光パターンの形成が可能な状態とされる（図６及び図７参照）。
【００７８】
このとき、第１のシェード２１の遮蔽面部２３が第２の遮蔽位置にある第２のシェード２２の遮光面部２７に対向して位置されるが、遮蔽面部２３と遮光面部２７の間には一定の隙間Ｓが形成される（図７参照）。従って、遮蔽面部２３と遮光面部２７の損傷や傷付きの発生を抑制することができる。
【００７９】
操作レバー４４が下方側の移動端まで操作されたときには、第２のシェード２２が第２の捩じりコイルバネ３２の付勢力によって回動されて第１の遮蔽位置に保持され、例えば、右側通行用に適した配光パターンの形成が可能な状態とされる（図８乃至図１１参照）。
【００８０】
第２のシェード２２が第１の遮蔽位置に保持されている状態において、ソレノイド３４の電磁コイル３５に通電が行われていないときには、第１のシェード２１が第１の捩じりコイルバネ３１の付勢力によって近距離照射位置に保持され、ロービームの配光パターンの形成が可能な状態とされる（図８及び図９参照）。
【００８１】
一方、第２のシェード２２が第１の遮蔽位置に保持されている状態において、ソレノイド３４の電磁コイル３５に通電が行われると、プランジャー３６が前方へ移動され第１のシェード２１が第１の捩じりコイルバネ３１の付勢力に抗して回動されて遠距離照射位置に保持され、ハイビームの配光パターンの形成が可能な状態とされる（図１０及び図１１参照）。このとき第１のシェード２１の遠距離照射位置へ向けての回動によって第２のシェード２２が第１のシェード２１の押圧突条２３ａによって押圧され、第２のシェード２２も第２の捩じりコイルバネ３２の付勢力に抗して第１のシェード２１と一体となって回動され第２の遮蔽位置に保持される。
【００８２】
第１のシェード２１が遠距離照射位置にあり第２のシェード２２が第２の遮蔽位置にある状態において、電磁コイル３５への通電が停止されると、第１のシェード２１と第２のシェード２２はそれぞれ第１の捩じりコイルバネ３１と第２の捩じりコイルバネ３２の付勢力によって一体となって回動され近距離照射位置と第１の遮蔽位置まで回動される（図８及び図９参照）。
【００８３】
このように第１のシェード２１と第２のシェード２２はそれぞれ第１の捩じりコイルバネ３１と第２の捩じりコイルバネ３２に同一の方向へ付勢される構成とされているため、第１のシェード２１と第２のシェード２２は一体となって回動され、第１のシェード２１と第２のシェード２２の所要の各位置への回動動作を容易に行うことができる。
【００８４】
以上に記載した通り、車輌用前照灯１にあっては、第１のシェード２１と第２のシェード２２が同一の支持軸２０に回動自在に支持されているため、第１のシェード２１と第２のシェード２２を各別に回動させることが可能であり、動作の円滑化を図ることができる。
【００８５】
また、第１のシェード２１と第２のシェード２２を支持する部品が支持軸２０の一つのみであるため、部品点数の削減を図ることができる。
【００８６】
さらに、第２のシェード２２が第２の遮蔽位置にある状態においてソレノイド３４の駆動力により第１のシェード２１を回動させるときに、ソレノイド３４の駆動力に対して第１のシェード２１と第２のシェード２２の双方の荷重が負荷として付与されることがい。従って、この場合には小さな駆動力で第１のシェード２１を回動させることが可能となり、ソレノイド３４の駆動力の低減、ソレノイド３４の小型化及び消費電力の低減を図ることができる。
【００８７】
さらにまた、車輌用前照灯１にあっては、第２のシェード２２に被作用突部３０を設け、操作用突部４３によって第２のシェード２２の付勢方向と反対方向から被作用突部３０を押圧して第２のシェード２２を回動させるようにしているため、構造が簡単であり、機構の簡素化を図ることができる。
【００８８】
加えて、車輌用前照灯１にあっては、第１の捩じりコイルバネ３１と第２の捩じりコイルバネ３２を第１のシェード２１の被支持面部２４、２４間において遮蔽面部２３に覆われる位置に配置しているため、配置スペースの有効活用による車輌用前照灯１の小型化を図ることができる。
【００８９】
尚、上記には、第１のシェード２１を動作させる第１の駆動手段としてソレノイド３４を用い、第２のシェード２２を動作させる第２の駆動手段として操作レバー４４等の手動により行う手段を用いた例を示したが、第１の駆動手段と第２の駆動手段としては電動式、手動式を問わず動力を発生する他の各種の駆動手段を用いることが可能である。
【００９０】
例えば、図１１に示すように、小型のソレノイド４６を配置し、リンク部材４５を介してソレノイド４６の駆動力が操作用突部４３に伝達されて第２のシェード２２が回動されるように構成することが可能である。
【００９１】
また、例えば、図１２に示すように、車輌用前照灯１の外側や車内等に操作部４７を配置し、該操作部４７とリンク部材４５をワイヤー４８によって連結し、操作スイッチ４７に対する操作に応じてワイヤー４８の張力が変化され操作用突部４３が動作されて第２のシェード２２が回動されるように構成することも可能である。
【００９２】
尚、上記には、操作レバー４４を前後方向へ延びるように配置して配置用孔７ａを介してランプユニット７の後方へ突出させた例を示したが、例えば、操作レバー４４を上下方向に延びるように配置してもよい。この場合には、ランプボデイ２の上端部及びランプユニット７の上端部にそれぞれ上下に貫通された操作用孔を形成し、各操作用孔を介して上方側から手動により操作レバー４４を操作可能とするようにしてもよい。
【００９３】
上記した発明を実施するための最良の形態において示した各部の形状及び構造は、何れも本発明を実施するに際して行う具体化のほんの一例を示したものにすぎず、これらによって本発明の技術的範囲が限定的に解釈されることがあってはならないものである。
【図面の簡単な説明】
【００９４】
【図１】図２乃至図１３と共に本発明車輌用前照灯の最良の形態を示すものであり、本図は、車輌用前照灯の概略縦断面図である。
【図２】配光パターン切替機構の分解斜視図である。
【図３】配光パターン切替機構の斜視図である。
【図４】図５とともに第１のシェードが近距離照射位置にあり第２のシェードが第２の遮蔽位置にある状態を示すものであり、本図は、斜視図である。
【図５】概略拡大断面図である。
【図６】図７とともに第１のシェードが遠距離照射位置にあり第２のシェードが第２の遮蔽位置にある状態を示すものであり、本図は、斜視図である。
【図７】概略拡大断面図である。
【図８】図９とともに第１のシェードが近距離照射位置にあり第２のシェードが第１の遮蔽位置にある状態を示すものであり、本図は、斜視図である。
【図９】概略拡大断面図である。
【図１０】図１１とともに第１のシェードが遠距離照射位置まで回動され第２のシェードが第１のシェードと一体となって第２の遮蔽位置まで回動された状態を示すものであり、本図は、斜視図である。
【図１１】概略拡大断面図である。
【図１２】第２の駆動手段の別の例を示す斜視図である。
【図１３】第２の駆動手段のまた別の例を示す斜視図である。
【符号の説明】
【００９５】
１…車輌用前照灯、９…投影レンズ、１０…リフレクター、１１…光源、２０…支持軸、２１…第１のシェード、２２…第２のシェード、２３…遮蔽面部、２４…被支持面部、２７…遮光面部、３０…被作用突部、３１…第１の捩じりコイルバネ（第１の付勢手段）、３２…第２の捩じりコイルバネ（第２の付勢手段）、３４…ソレノイド、４３…操作用突部（第２の駆動手段）、４４…操作レバー（第２の駆動手段）、４５…リンク部材（第２の駆動手段）、４６…ソレノイド（第２の駆動手段）、４８…ワイヤー（第２の駆動手段）
【図１】
2010218728.tif 000003
【図２】
2010218728.tif 000004
【図３】
2010218728.tif 000005
【図４】
2010218728.tif 000006
【図５】
2010218728.tif 000007
【図６】
2010218728.tif 000008
【図７】
2010218728.tif 000009
【図８】
2010218728.tif 000010
【図９】
2010218728.tif 000011
【図１０】
2010218728.tif 000012
【図１１】
2010218728.tif 000013
【図１２】
2010218728.tif 000014
【図１３】
2010218728.tif 000015